(57)【要約】      （修正有）【課題】包装箱の積上荷重により立面板の胴膨れを抑制できる段ボール箱を提供する。【解決手段】段ボールブランクからなるラップアラウンドケース１１の立面板１２に、印刷面であるその表面から面の断目に対して垂直方向に逆罫２０を数箇所に入れ、ケース側面が内反りする構成とする。これにより、立面板が積上荷重により座屈して外側に膨出する胴膨れを抑制できる段ボール製ラップアラウンドケースを構成する。【選択図】図２
0003157578.tif 000002
【実用新案登録請求の範囲】
【請求項１】
ラップアラウンドケースの立面板に、その表面（印刷面）から面の断目に対して垂直方向に逆罫を数箇所に入れ、ケース側面が内反りする構成とすることで、立面板が積上荷重により座屈して外側に膨出する胴膨れを抑制できる段ボール箱としたことを特徴とする段ボール製ラップアラウンドケース。
【請求項２】
ラップアラウンドケースの立面板に、裏面側にライナカットした２本の切目線を入れてその間に開封帯が形成され、その開封帯沿いの外側の位置に、ケースの表面側（印刷面）から面の断目に対して垂直方向に逆罫を数箇所に入れ、ケース側面が内反りする構成とした請求項１に記載の段ボール製ラップアラウンドケース。
【請求項３】
ラップアラウンドケースの立面板に、その表面側（印刷面）から面の断目に対して垂直方向に入れる逆罫は、物流バーコードの印刷個所を除いた立面板と平面板の稜部沿いの数箇所に形成してなる請求項１又は２の何れかに記載の段ボール製ラップアラウンドケース。
【考案の詳細な説明】
【技術分野】
【０００１】
本考案は、胴膨れを抑制できる段ボール箱に関するもので、詳しくは、箱側面が上方からの荷重によって座屈したときの胴膨れが抑制できる段ボール箱に関する。
【背景技術】
【０００２】
従来、たとえば缶ビール等の飲料缶の包装には、図４に示すように、段ボール製の一対の立面板1及び平面板２により周壁を形成して缶を巻き込み、フラップ３，４を閉じて封緘する六面体形状のラップアラウンド式の箱（ラップアラウンドケースということがある）が使用されている。
【０００３】
飲料缶の包装箱は、多くの場合、箱の長さ方向側面（立面板1）に、フラップに至る２本の切目線（弱め線）５に挟まれた開封帯６が形成されている。その始端の摘み部となる貫通した切込７が立面板１の中央に形成されている。
この切目線（弱め線）５は、通常、光学的に読み取られる物流バーコードなどを印刷しない裏面のライナのみを切断したライナカットとされている。
【０００４】
この飲料缶の包装箱は、流通時や保管時に多数積上げておくと、下方に置かれたケースは積上荷重が作用し、ケースの天面と底面は段ボールの段が潰され、平面板２の段ボールに缶が食い込んで立面板１を天地の方向に圧縮する。そのため立面板が積上荷重により座屈して外側に膨出することが多い。すなわち図５に示すように立面板1を外側に押し出し、胴膨れが生じる。
【０００５】
立面板１には開封のためのライナカットが形成されているため、立面板１を天地の方向に圧縮する力が加えられとき、立面板１はライナカットの部分から大きく外側に折れ曲がり、側面の胴膨れ（外反り）が目立つことがある。胴膨れは、幅面（妻面）より長さ側面に表れることが多い。
側面の胴膨れが目立つと箱の美観は低下するし、また、側面に印刷された前記バーコード等の読み取りミスが起こることが懸念される。
【先行技術文献】
【特許文献】
【０００６】
【特許文献１】特開２００５−  ５３５５２号公報
【特許文献２】特開２００３−２０５９３５号公報
【考案の概要】
【考案が解決しようとする課題】
【０００７】
そこで、この考案は、積上荷重により立面板１に天地の方向に圧縮する力が加えられときその立面板の胴膨れを抑制できる段ボール箱を提案するものである。
【課題を解決するための手段】
【０００８】
上記問題を解決するために本考案は、ラップアラウンドケースの立面板に、その表面（印刷面）から面の断目に対して垂直方向に逆罫を数箇所入れることにより、ケース側面が内反りする構成とすることで、立面板が積上荷重により座屈して外側に膨出する胴膨れを抑制できるようにしたことを要旨とするものである。
【０００９】
また、前記ラップアラウンドケースの立面板には、裏面側にライナカットした２本の切目線を入れてその間に開封帯が形成され、その開封帯沿いの外側の位置に、ケースの表面側（印刷面）から面の断目に対して垂直方向に逆罫を数箇所入れることにより、ケース側面が内反りする構成としたのである。
【００１０】
さらにまた本考案は、前記ラップアラウンドケースの立面板に、その表面側（印刷面）から面の断目に対して垂直方向に入れる逆罫は、物流バーコードの印刷個所を除いた立面板と平面板の稜部沿いの数箇所に形成してなるものである。
【考案の効果】
【００１１】
上記のように、本考案の包装箱は、立面板の表面（印刷面）から面の断目に対して垂直方向に逆罫を数箇所に入れることにより、ケース側面が内反りした構成としたので、立面板が積上荷重により座屈して外側に膨出する胴膨れを抑制し、側面の変化量を目立たせないようにすることが可能である。
また、立面板に形成したその逆罫は、箱の外表面に表示された物流バーコードの印刷個所を除いた立面板と平面板の稜部沿いの数箇所に施してなるものであるから、バーコードの読み取り操業性を害することのない包装箱を提供できる。
【図面の簡単な説明】
【００１２】
【図１】本考案のラップアラウンドケースのブランクの平面図。
【図２】本考案のラップアラウンドケースの縦断面を示すイメージ図。
【図３】本考案のラップアラウンドケースの胴膨れ状態を示す縦断面を示すイメージ図。
【図４】従来の缶包装用ラップアラウンド箱の斜視図。
【図５】従来のラップアラウンドケースの胴膨れ状態を示すイメージ図。
【考案を実施するための形態】
【００１３】
次に本考案の実施の形態を説明する。
この実施例のラップアラウンドケース１１は、図１に示すような段ボールブランクからなり、一対の立面板１２、１２及び平面板１３、１３を折り曲げ、繋ぎ代１４を反対側の平面板に接合して胴貼りして角筒状の本体を形成し、内フラップ１５と外フラップ１６を閉じることで角筒状本体の両端面を閉止するラップアラウンドケースである。
また、この箱の長さ方向側面（立面板1２）には、裏面のみをライナカットした２本の切目線（弱め線）１７に挟まれた開封帯１８が形成されている。その始端の摘み部となる貫通した切込１９が立面板１の中央に形成されている。
【００１４】
そして、この立面板に設けた開封帯１8沿いの外側の位置で物流バーコードの印刷個所を除いた立面板と平面板の稜部沿いの数箇所に、押刃により印刷面の外側から段ボールの断目Ｆに対して垂直方向に、罫線（逆罫）２０を入れる。罫線を入れる個所は、物流バーコードを印刷した個所を除くものである。なぜなら箱の外表面に表示される物流バーコードが毀損されていると、光学式の読み取り手段での読み取り操業性を害するからである。従ってこのようなバーコードを印刷した個所を除いた立面板と平面板の稜部沿いの数箇所（例えば８箇所）に罫線を入れることにより、立面板１２が内反りするような構成とする（図２参照）。
【００１５】
図１のブランクを使用して、定法のように缶Ｃを包装すると、図４に示すように、六面体形状のラップアラウンド式ケースになる。
【００１６】
この実施例のラップアラウンドケースを段積みした場合、積上げ荷重が作用しても立面板１２の側面には内そりする力が働いているので、段積みされた下の方の箱側面に生じる胴膨れが低減でき、また側面の変化量を目立たせないようにすることができる。
【産業上の利用可能性】
【００１７】
本考案は、缶ビール以外のやペットボトル飲料の包装にも使用できる。
さらに、積圧に耐えられる剛体容器（缶やペットボトル、瓶）に入った飲料以外の流動体（油、醤油等）の包装にも使用の可能性をも有する。
【符号の説明】
【００１８】
１１  ラップアラウンドケース
１２  立面板
１３ 平面板
１４  繋ぎ代
１５  内フラップ
１６  外フラップ
１７  切れ目線
１８  開封帯
【図１】
0003157578.tif 000003
【図２】
0003157578.tif 000004
【図３】
0003157578.tif 000005
【図４】
0003157578.tif 000006
【図５】
0003157578.tif 000007
【手続補正書】
【提出日】平成21年12月8日(2009.12.8)
【手続補正１】
【補正対象書類名】実用新案登録請求の範囲
【補正対象項目名】全文
【補正方法】変更
【補正の内容】
【実用新案登録請求の範囲】
【請求項１】
ラップアラウンドケースの立面板に、印刷面であるその表面から面の断目に対して垂直方向に逆罫を数箇所に入れ、ケース側面が内反りする構成とすることで、立面板が積上荷重により座屈して外側に膨出する胴膨れを抑制できる段ボール箱としたことを特徴とする段ボール製ラップアラウンドケース。
【請求項２】
ラップアラウンドケースの立面板に、裏面側にライナカットした２本の切目線を入れてその間に開封帯が形成され、その開封帯沿いの外側の位置に、ケースの印刷面であるその表面から面の断目に対して垂直方向に逆罫を数箇所に入れ、ケース側面が内反りする構成とした請求項１に記載の段ボール製ラップアラウンドケース。
【請求項３】
ラップアラウンドケースの立面板に、印刷面であるその表面から面の断目に対して垂直方向に入れる逆罫は、物流バーコードの印刷個所を除いた立面板と平面板の稜部沿いの数箇所に形成してなる請求項１又は２の何れかに記載の段ボール製ラップアラウンドケース。